(57)【要約】【課題】想定荷重で確実にせん断破壊し、しかも破断面がボルト軸に対してほぼ直角な面となり、さらには破断までの伸びが小さいノックオフ型ボルトを提供する。【解決手段】２つの部材を接合し、これらの部材にその接合面と平行な所定大きさ以上の荷重が加わったときにせん断破断するようにしたノックオフ型ボルトであって、ボルト軸部３にボルト頭部４から軸方向に沿って軸穴５を設けることによって、ボルト軸部３を中空とし、この中空部の外周に環状のノッチ部６が設けられていることを特徴とする。【選択図】図２
2013036215.tif 000002
【特許請求の範囲】
【請求項１】
２つの部材を接合し、これらの部材にその接合面とほぼ平行な想定荷重が加わったときにせん断破断するようにしたボルトであって、
ボルト軸部を中空とし、この中空部の外周に環状のノッチ部が設けられていることを特徴とするノックオフ型ボルト。
【請求項２】
前記中空部はボルト軸部にボルト頭部から軸方向に沿って軸穴を設けることによって形成されていることを特徴とする請求項１記載のノックオフ型ボルト。
【請求項３】
前記ノッチ部を含む軸部断面の断面欠損率は40％以上であることを特徴とする請求項１又は２記載のノックオフ型ボルト。
【請求項４】
橋梁の可動支承部において、上面に支承側すべりプレートが設けられた支承と、下面に上部構造側すべりプレートが設けられた上部構造とを接合するためのセットボルトとして適用されることを特徴とする請求項１，２又は３記載のノックオフ型ボルト。
【発明の詳細な説明】
【技術分野】
【０００１】
この発明は、ノックオフ型ボルトに関し、より詳細には大地震時等に破断させ、その機能を失わせるボルトに関する。
【背景技術】
【０００２】
この出願人は、先に橋梁における支承部を可動化する工法を提案した（特許文献１参照）。図５は、同文献記載の可動化施工を完了した状態を示している。図に示す既設支承は、固定支承の１つであるピン支承５０であり、上沓５１及び下沓５２を備え、両者に形成された半円筒形ボス部にピン５３が嵌まっている。下沓５２は下部構造５４に固定されている。上部構造５５のフランジ６０の下面には、可動化施工によりステンレス板からなる上部構造側すべりプレート５６が取り付けられている。上沓５１の上面に設けられたボスは、可動化施工により切断除去され、一部がボス残部５７として残されている。上沓５１の上面にはボス残部５７が嵌まる穴を有する支承側すべりプレート５８が載置されている。
【０００３】
支承側すべりプレート５８は図６に拡大して示すように、上面に四フッ化エチレン（ＰＴＦＥ）板からなる、すべり材５９が設けられている。これにより上部構造側すべりプレート５６と支承側すべりプレート５８との間で、すなわち上部構造５５と既設支承５０との間で水平方向全方向にすべりが生じるようになり、常時、レベル１地震時及びレベル２地震時のいずれにおいても支承部が可動化することになる。
【０００４】
上記のように可動化した支承部において、ノックオフ型のセットボルト６１を用いて、上部構造５５と既設支承５０とを固定することにより、支承部をレベル１地震動までは固定、レベル２地震時には可動とすることができる。ノックオフ型セットボルト６１は図５に示すように、その軸部６２に外径を小さくしたノッチ部６３を設けることにより、水平荷重によりせん断破壊するようにしたボルトである。符号６４はせん断破壊面を示している。ノックオフ型セットボルト６１は、せん断破壊面６４が、上部構造側すべりプレート５６と支承側すべりプレート５８（具体的にはすべり材５９）との接する面であるすべり面６５近くに位置するように取り付けられる（以上、詳細は特許文献１参照）。
【０００５】
上記から理解されるように、ノックオフ型セットボルト６１は、想定荷重でせん断破壊することが求められる。また、破断後にすべりプレート５９に引っ掛かることがないように、水平に破断することが求められる。さらには、支承部の形態として、制震デバイスを付加し（特許文献１の段落００３２参照）、地震時の水平荷重を制震デバイスで分担する場合は、ボルトの破断後、ただちに制震デバイスが作動することが求められる。そのためには、最大荷重に達した後のボルトの伸びはできる限り小さいことが必要である。
【０００６】
しかし、ボルト軸部外周に単にノッチ部を設けただけの従来のノックオフ型セットボルトは、破断荷重がばらつくことや、破断面がボルト軸に対して直角な平坦面とならず、かえりが出るなどの問題がある。そのため、このボルトが想定以上の破断耐力を示し、固定装置（支承）側を破壊させたり、ボルト破断面がすべり面を傷つけるなどの問題があった。さらには、最大荷重時から破断までの伸びが大きいため、制震デバイスがただちに作動せず、設計の想定と異なってしまうなどの問題があった。
【先行技術文献】
【特許文献】
【０００７】
【特許文献１】特開２０１１−６９１９１号公報
【発明の概要】
【発明が解決しようとする課題】
【０００８】
この発明は上記のような技術的背景に基づいてなされたものであって、次の目的を達成するものである。
この発明の目的は、想定荷重で確実にせん断破壊し、しかも破断面がボルト軸に対してほぼ直角な面となり、さらには破断までの伸びが小さいノックオフ型ボルトを提供することにある。
【課題を解決するための手段】
【０００９】
この発明は上記課題を達成するために、次のような手段を採用している。
すなわち、この発明は、２つの部材を接合し、これらの部材にその接合面とほぼ平行な想定荷重が加わったときにせん断破断するようにしたボルトであって、
ボルト軸部を中空とし、この中空部の外周に環状のノッチ部が設けられていることを特徴とするノックオフ型ボルトにある。
【００１０】
より具体的には、前記中空部はボルト軸部にボルト頭部から軸方向に沿って軸穴を設けることによって形成されている。
【００１１】
上記ノックオフ型ボルトにおいて、前記ノッチ部を含む軸部断面の断面欠損率は40％以上であることが望ましい。上記ノックオフ型ボルトは、橋梁の可動支承部において、上面に支承側すべりプレートが設けられた支承と、下面に上部構造側すべりプレートが設けられた上部構造とを接合するためのセットボルトとして適用される。
【発明の効果】
【００１２】
この発明のノックオフ型ボルトによれば、想定荷重で確実にせん断破壊させることができる。また、破断面をボルト軸に対してほぼ直角な面とすることができ、さらには破断までの伸びを小さくすることができる。したがって、このノックオフ型ボルトを橋梁の可動支承部において、上面に支承側すべりプレートが設けられた支承と、下面に上部構造側すべりプレートが設けられた上部構造とを接合するためのセットボルトとして適用した場合には、ボルト破断後にすべり面を傷つけることがなく、また制震デバイスをただちに作動させることができる。
【図面の簡単な説明】
【００１３】
【図１】この発明によるノックオフボルトの実施形態を示す平面図である。
【図２】同実施形態のものの正面図である。
【図３】ノッチ部の断面形状例を示す図である。
【図４】ノックオフ型ボルトの破断後の破断面を従来のものと比較して示す図である。
【図５】この発明によるノックオフボルトの適用例を示す図である。
【図６】従来のノックオフボルトを示す図である。
【発明を実施するための形態】
【００１４】
この発明の実施形態を図面を参照しながら以下に説明する。図１，図２に示すように、ノックオフ型ボルト１は、一般のボルトとの共通点として、雄ねじ２を有する軸部３と、軸部３の雄ねじ２と反対側の端部に設けられた頭部４とからなる。
【００１５】
この発明によるノックオフ型ボルト１は、軸部３にボルト頭部４から軸方向に沿って軸穴５が設けられている。すなわち、軸部３は中空部を有している。この軸穴５の断面形状は図示では円形であるが、多角形や楕円形としてもよい。しかし、加工しやすさの観点からは円形が望ましい。この軸穴５の外周に環状の溝であるノッチ部６が形成されている。ノッチ部６の形成位置は、破断面となる位置である。したがって、軸穴５は、破断面となる位置よりも幾分か下方に達する深さのものでよい。
【００１６】
ノッチ部６は、図３に示すように種々の断面形状をとることができる。（イ）は溝断面をＶ字形としたもの、（ロ）は溝断面の入口部を等幅とし、奥部をＶ字形としたもの、（ハ）は溝断面をコ字形としたもの、（ニ）は溝断面をＵ字形としたもの、（ホ）は溝断面を半椀形状としたものである。
【００１７】
図４は、従来のノックオフ型ボルト（以下、従来ボルト）（イ）と、この発明によるノックオフ型ボルト（以下、本発明ボルト）（ロ）の破断面を示している。単にボルト軸部にノッチ部のみを形成した従来ボルトは、荷重作用方向前方側に大きな引っ張り応力が作用しており、これが塑性変形時に、かえりＲとなって破断面を形成してしまう。これに対し、ボルト軸部を中空としてノッチ部を設けた本発明ボルトは、曲げ剛性が増加し、引っ張り応力が減少することでせん断破壊が一気に進むこととなり、破断面がボルト軸部に対して直角な面となる。
【００１８】
また、有限要素解析結果によれば、破断面の起点になる応力集中箇所が、従来ボルトではノッチ部周辺に分散してしまうが、本発明ボルトでは応力がノッチ部先端に集中しており、ノッチ部の形成部分のボルト軸部を中空とすることによって確実に破断荷重を破断面に作用させることが可能となっている。
【００１９】
さらに、従来ボルトと本発明ボルト対し破断実験を行ったところ、以下のような結果が得られた。この破断実験は、ボルト径、ノッチ部形状、ノッチ部加工後の断面欠損率、強度区分をパラメータとして、最大耐力、破断耐力、変位量を計測した。
【００２０】
＜最大耐力＞
最大耐力のばらつきは、従来ボルトが平均値に対し98%〜103%であるのに対し、本発明ボルトは99%〜101%であり、ばらつきがほとんどなかった。
【００２１】
＜変位量＞
最大荷重時から破断までの変位量は、従来ボルトに対し本発明ボルトは54％以下で、早期に破断した。さらに、試験体の破断面を観察したところ、従来ボルトに比べ本発明ボルトは、かえりがほとんどなかった（図４参照）。これは先の解析と同様の結果であった。
【００２２】
＜断面欠損率＞
実験の結果より、ボルト軸部を中空とする場合の断面欠損率は40%以上とすることにより、かえりがなく、また最大耐力にばらつきがなく破断することが判明した。断面欠損率が40%に満たない場合は、荷重作用方向前方側に約1mm程度のかえりが残り、最大耐力のばらつき±2%程度であった。これは、かえりの出かたが、最大耐力にばらつきが生じる原因となっているものと考えられる。同様に、断面欠損率が40%に満たない場合は、最大荷重時から破断までの変位も0.45mm生じ、断面欠損率が60%の試験体に対し約６倍であった。
【００２３】
＜強度区分＞
JIS規格の強度区分が10.9及び8.8のボルトでは、最大耐力、変位量、断面欠損率に関し上述の結果が得られたが、強度区分4.6のボルトでは本発明ボルトであっても±3%以上の最大耐力のばらつきが生じ、最大荷重時からの伸びも2mm〜3mmと大きくなった。このため強度区分によっては本発明の適用は難しいと考えられる。
【００２４】
上記本発明ボルトは、図５，図６に示した橋梁の可動支承部（既設支承を利用して可動化した支承部でもよいし、新設の支承を用いた支承部でもよい）おいて、上面に支承側すべりプレートが設けられた支承と、下面に上部構造側すべりプレートが設けられた上部構造とを接合するセットボルトとして適用される。この場合、本発明ボルトによれば、破断面がボルト軸に対して直角な面となるので、破断後にすべり面を傷つけることがない。また、破断までの変位量が小さいので、制震デバイスをただちに作動させることができる。
【００２５】
本発明ボルトは、特に橋梁において上部構造と支承とを接合するために開発されたものであるが、適用範囲はこれに限るものではない。
【符号の説明】
【００２６】
１      ノックオフ型ボルト
３      軸部
５      軸穴（中空部）
６      ノッチ部
５０      既設支承
５４      下部構造
５５      上部構造
５６      上部構造側すべりプレート
５８      下部構造側すべりプレート
【図１】
2013036215.tif 000003
【図２】
2013036215.tif 000004
【図３】
2013036215.tif 000005
【図４】
2013036215.tif 000006
【図５】
2013036215.tif 000007
【図６】
2013036215.tif 000008